(57)【要約】【課題】被梱包物に加わる衝撃又は荷重を効果的に緩和する緩衝体を提供する。【解決手段】略直方体の被梱包物の一部に外嵌する凹部１４を有する矩形正面板部１０と、矩形正面板部１０の一辺１０ａに形成されており、矩形正面板部１０に対して略垂直な天板部１１とを備える緩衝体において、矩形正面板部１０が、凹部１４と天板部１１との間に、凹部１４の縁部分に沿って並設されていて、長手方向が並設方向の複数の長孔部１５を備える。【選択図】図１
2007091297.tif 000002
【特許請求の範囲】
【請求項１】
略直方体の被梱包物の一部に外嵌する凹部を有する矩形の第１緩衝板部と、該第１緩衝板部の一辺に形成されており、前記第１緩衝板部に対して略垂直な第２緩衝板部とを備える緩衝体において、
前記第１緩衝板部の前記凹部と前記第２緩衝板部との間に、前記凹部の縁部分に沿って、縁部分が湾曲又は鋭角に屈曲した複数の孔部が並設されており、該孔部は並設方向を長手方向にしてある
ことを特徴とする緩衝体。
【請求項２】
略直方体の被梱包物の一部に外嵌する凹部を有する矩形の第１緩衝板部と、該第１緩衝板部の一辺に形成されており、前記第１緩衝板部に対して略垂直な第２緩衝板部とを備える緩衝体において、
前記第１緩衝板部の前記凹部と前記第２緩衝板部との間に、前記凹部の縁部分に沿って異なる断面積を有する複数の孔部が並設されている
ことを特徴とする緩衝体。
【請求項３】
略直方体の被梱包物の一部に外嵌する凹部を有する矩形の第１緩衝板部と、該第１緩衝板部の一辺に形成されており、前記第１緩衝板部に対して略垂直な第２緩衝板部とを備える緩衝体において、
前記第１緩衝板部の前記凹部と前記第２緩衝板部との間に、前記凹部の縁部分に沿って３個以上の孔部が並設されており、該孔部は隣り合う孔部の孔間隔が異なるようにしてある
ことを特徴とする緩衝体。
【請求項４】
前記第２緩衝板部は、
外側の面に緩衝凸部を備える
ことを特徴とする請求項１乃至請求項３のいずれか一つに記載の緩衝体。
【請求項５】
前記凹部から離隔しており、前記第２緩衝板部を支持する支持板部を備え、
前記第２緩衝板部は、
前記支持板部に支持されている被支持部を備え、
前記緩衝凸部は、
前記被支持部に形成されている
ことを特徴とする請求項４に記載の緩衝体。
【請求項６】
略直方体の被梱包物の一部に外嵌する凹部を有する矩形の第１緩衝板部と、該第１緩衝板部の一辺に形成されており、前記第１緩衝板部に対して略垂直な第２緩衝板部と、前記凹部から離隔しており、前記第２緩衝板部を支持する支持板部とを備える緩衝体において、
前記第２緩衝板部は、
前記支持板部に支持されている被支持部を備え、
該被支持部は外側の面に緩衝凸部を備える
ことを特徴とする緩衝体。
【請求項７】
前記緩衝凸部は
線状をなし、前記第１緩衝板部の前記一辺に略平行である
ことを特徴とする請求項４乃至請求項６のいずれか一つに記載の緩衝体。
【請求項８】
前記緩衝凸部は三角柱状である
ことを特徴とする請求項４乃至請求項７のいずれか一つに記載の緩衝体。
【発明の詳細な説明】
【技術分野】
【０００１】
本発明は、箱体に梱包された被梱包物に加わる衝撃を緩和する緩衝体に関する。
【背景技術】
【０００２】
箱体に梱包される略直方体の被梱包物、例えばハードディスクレコーダを衝撃から保護するために緩衝体が用いられている。
【０００３】
緩衝体は、段ボールからなり、被梱包物の側部に外嵌する凹部を有する矩形の第１緩衝板部、及び該第１緩衝板部の一辺に略垂直に形成された第２緩衝板部、及び第１緩衝板部に対して略平行であり、第２緩衝板部を支持する支持板部を備えている。また、緩衝体は、被梱包物に凹部が外嵌した状態で箱体に梱包された場合、被梱包物の箱体内での移動を規制できるような寸法を有している。
このように構成される緩衝体においては、２個の緩衝体を被梱包物の両側部に外嵌させ、被梱包物及び緩衝体を箱体に梱包することで、箱体外部から被梱包物に加わる衝撃を緩和することができ、被梱包物を保護することができる。
【特許文献１】特開２０００−７０３５号公報
【発明の開示】
【発明が解決しようとする課題】
【０００４】
しかしながら、従来の緩衝体においては、被梱包物及び緩衝体が梱包された箱体の上方から衝撃又は荷重が加えられた場合、例えば複数の前記箱体が積み上げられたときの衝撃又は荷重は、緩衝体のみならず、緩衝体の凹部が外嵌している被梱包物にも加わり、被梱包物に不具合が生ずる虞があるという問題があった。
例えば、被梱包物の表面が鏡面仕上げされている場合、該表面に、緩衝体の跡が残るという不具合が生ずる。
【０００５】
本発明は、斯かる事情に鑑みてなされたものであり、第２緩衝板部に加えられた衝撃又は荷重によって拉げるように縁部分が湾曲又は鋭角に屈曲した複数の孔部、例えば複数の菱形又は長円の孔部を第１緩衝板部の凹部と第２緩衝板部との間に並設することにより、従来の緩衝体に比べて、第２緩衝板部側から被梱包物、特に凹部が外嵌している部分に加えられる衝撃又は荷重をより効果的に緩和することができる緩衝体を提供することを目的とする。
【０００６】
本発明の他の目的は、第２緩衝板部に加えられた衝撃によって拉げる複数の孔部を第１緩衝板部の凹部と第２緩衝板部との間に並設し、複数の孔部の断面積が異なるように構成することにより、被梱包物の部位によって緩衝能力に差をもたせることができ、第２緩衝板部側から被梱包物の所定部位に加えられる衝撃又は荷重をより効果的に緩和することができる緩衝体を提供することにある。
【０００７】
本発明の他の目的は、第２緩衝板部に加えられた衝撃によって拉げる複数の孔部を第１緩衝板部の凹部と第２緩衝板部との間に並設し、複数の孔部の孔間隔が異なるように構成することにより、被梱包物の部位によって緩衝能力に差をもたせることができ、第２緩衝板部側から被梱包物の所定部位に加えられる衝撃又は荷重をより効果的に緩和することができる緩衝体を提供することにある。
【０００８】
本発明の他の目的は、第２緩衝板部に緩衝凸部を備えることにより、箱体に梱包された緩衝体の第２緩衝板部側から加えられた衝撃又は荷重を緩衝凸部で受け、衝撃又は荷重が緩衝凸部の周辺以外に拡がらないようにすることができ、第２緩衝板部側から被梱包物の所定部位に加えられる衝撃又は荷重をより効果的に緩和することができる緩衝体を提供することにある。
【０００９】
本発明の他の目的は、第２緩衝板部の支持板部に支持されている被支持部に緩衝凸部を備えることにより、箱体に梱包された緩衝体の第２緩衝板部側から加えられた衝撃又は荷重を緩衝凸部で受け、凹部が外嵌している被梱包物に衝撃又は荷重が加わらないようにすることができ、更に他の箇所から加わる衝撃又は荷重を孔部で緩和することができる緩衝体を提供することにある。
【００１０】
本発明の他の目的は、第２緩衝板部の支持板部に支持されている被支持部に緩衝凸部を備えることにより、箱体に梱包された緩衝体の第２緩衝板部側から加えられた衝撃を緩衝凸部で受け、凹部が外嵌している被梱包物に衝撃又は荷重が加わらないようにすることができる緩衝体を提供することにある。
【００１１】
本発明の他の目的は、第１緩衝板部の一辺に略平行な線状の緩衝凸部を、第２緩衝板部に備えることにより、点状の緩衝凸部に比べて、第２緩衝板部側から加えられた衝撃又は荷重を第２緩衝板部に広く分散させることができ、衝撃又は荷重をより効果的に緩和することができる緩衝体を提供することにある。
【００１２】
本発明の他の目的は、三角柱状の緩衝凸部を備えることにより、従来の緩衝体に比べて、第２緩衝板部側から加えられた衝撃又は荷重を第２緩衝板部に広く均等に分散させることができ、衝撃又は荷重をより効果的に緩和することができる緩衝体を提供することにある。
【課題を解決するための手段】
【００１３】
本発明に係る緩衝体は、略直方体の被梱包物の一部に外嵌する凹部を有する矩形の第１緩衝板部と、該第１緩衝板部の一辺に形成されており、前記第１緩衝板部に対して略垂直な第２緩衝板部とを備える緩衝体において、前記第１緩衝板部の前記凹部と前記第２緩衝板部との間に、前記凹部の縁部分に沿って、縁部分が湾曲又は鋭角に屈曲した複数の孔部が並設されており、該孔部は並設方向を長手方向にしてあることを特徴とする。
【００１４】
本発明にあっては、第２緩衝板部に衝撃又は荷重が加えられた場合、矩形の第１緩衝板部の凹部と第２緩衝板部との間に並設されている孔部が拉げるため、凹部が外嵌している被梱包物に加わる衝撃又は荷重は緩和される。
また、孔部は、周縁形状が菱形又は長円の孔部のように、湾曲又は鋭角に屈曲した縁部分を有しているため、矩形の孔部に比べて、第２緩衝板部に加えられた衝撃又は荷重によって孔部は拉げ易く、緩衝体は、より効果的に衝撃又は荷重を緩和する。
【００１５】
本発明に係る緩衝体は、略直方体の被梱包物の一部に外嵌する凹部を有する矩形の第１緩衝板部と、該第１緩衝板部の一辺に形成されており、前記第１緩衝板部に対して略垂直な第２緩衝板部とを備える緩衝体において、前記第１緩衝板部の前記凹部と前記第２緩衝板部との間に、前記凹部の縁部分に沿って異なる断面積を有する複数の孔部が並設されていることを特徴とする。
【００１６】
本発明にあっては、第２緩衝板部に衝撃又は荷重が加えられた場合、矩形の第１緩衝板部の凹部と第２緩衝板部との間に並設されている孔部が拉げるため、凹部が外嵌している被梱包物に加わる衝撃は緩和される。
また、孔部の断面積が大きい程、拉げ易く、衝撃又は荷重を効果的に緩和する。緩衝体は、孔部の断面積が異なるように構成されているため、衝撃又は荷重の緩衝能力は、第１緩衝板部の部位、つまり被梱包物の部位によって異なる。
【００１７】
本発明に係る緩衝体は、略直方体の被梱包物の一部に外嵌する凹部を有する矩形の第１緩衝板部と、該第１緩衝板部の一辺に形成されており、前記第１緩衝板部に対して略垂直な第２緩衝板部とを備える緩衝体において、前記第１緩衝板部の前記凹部と前記第２緩衝板部との間に、前記凹部の縁部分に沿って３個以上の孔部が並設されており、該孔部は隣り合う孔部の孔間隔が異なるようにしてあることを特徴とする。
【００１８】
本発明にあっては、第２緩衝板部に衝撃又は荷重が加えられた場合、矩形の第１緩衝板部の凹部と第２緩衝板部との間に並設されている孔部が拉げるため、凹部が外嵌している被梱包物に加わる衝撃又は荷重は緩和される。
また、隣り合う孔部の孔間隔が狭い程、より多くの孔部によって第２緩衝板部に加えられた衝撃又は荷重を効果的に緩和する。緩衝体は、孔間隔が異なるように構成されているため、衝撃又は荷重の緩衝能力は、第１緩衝板部の部位、つまり被梱包物の部位によって異なる。
【００１９】
本発明に係る緩衝体は、前記第２緩衝板部が、外側の面に緩衝凸部を備えることを特徴とする。
【００２０】
本発明にあっては、箱体に梱包された緩衝体の第２緩衝板部側から衝撃又は荷重が加えられた場合、衝撃又は荷重は緩衝凸部及び緩衝凸部周辺に加わる。従って、緩衝凸部を第２緩衝板部の適宜箇所に設けた場合、衝撃又は荷重は被梱包物の所定箇所に加わらない。
【００２１】
本発明に係る緩衝体は、前記凹部から離隔しており、前記第２緩衝板部を支持する支持板部を備え、前記第２緩衝板部は、前記支持板部に支持されている被支持部を備え、前記緩衝凸部は、前記被支持部に形成されていることを特徴とする。
【００２２】
本発明にあっては、第２緩衝板部の緩衝凸部及び第１緩衝板部の凹部は、第１緩衝板部の法線方向に離隔しており、緩衝凸部は、第２緩衝板部の被支持部に備えられているため、緩衝凸部及び緩衝凸部周辺に加えられた衝撃又は荷重は、凹部が外嵌した被梱包物に加わらない。
【００２３】
本発明に係る緩衝体は、略直方体の被梱包物の一部に外嵌する凹部を有する矩形の第１緩衝板部と、該第１緩衝板部の一辺に形成されており、前記第１緩衝板部に対して略垂直な第２緩衝板部と、前記凹部から離隔しており、前記第２緩衝板部を支持する支持板部とを備える緩衝体において、前記第２緩衝板部は、前記支持板部に支持されている被支持部を備え、該被支持部は外側の面に緩衝凸部を備えることを特徴とする。
【００２４】
本発明にあっては、箱体に梱包された緩衝体の第２緩衝板部側から衝撃又は荷重が加えられた場合、衝撃又は荷重は緩衝凸部及び緩衝凸部周辺に加わる。
また、第２緩衝板部の緩衝凸部及び第１緩衝板部の凹部は、第１緩衝板部の法線方向に離隔しており、緩衝凸部は、第２緩衝板部の被支持部に備えられているため、緩衝凸部及び緩衝凸部周辺に加えられた衝撃又は荷重は、凹部が外嵌した被梱包物に加わらない。
【００２５】
本発明に係る緩衝体は、前記緩衝凸部が線状をなし、前記第１緩衝板部の前記一辺に略平行であることを特徴とする。
【００２６】
本発明にあっては、第２緩衝板部に設けられた緩衝凸部は、第１緩衝板部の一辺に略平行な線状であるため、点状の緩衝凸部に比べて、第２緩衝板部側から加えられる衝撃又は荷重を被支持部に広く分散させることができるため、凹部が外嵌している被梱包物に加わる衝撃又は荷重は、効果的に緩和される。
【００２７】
本発明に係る緩衝体は、前記緩衝凸部が三角柱状であることを特徴とする。
【００２８】
本発明にあっては、緩衝凸部が三角柱状であるため、箱体に梱包された緩衝体の第２緩衝板部側から加えられた衝撃又は荷重は、緩衝凸部の稜線に加わる。緩衝凸部の稜線に加えられた衝撃は、第２緩衝板部に加わる。
従って、板状の緩衝凸部に比べて、衝撃又は荷重はより均等に第２緩衝板部に分散される。
【発明の効果】
【００２９】
本発明によれば、従来の緩衝体に比べて、第２緩衝板部側から被梱包物、特に凹部が外嵌している部分に加えられる衝撃又は荷重をより効果的に緩和することができる。
【００３０】
本発明によれば、孔部の断面積を異ならせることで、緩衝体の部位によって緩衝能力に差をもたせることができ、第２緩衝板部側から被梱包物の所定部位に加えられる衝撃又は荷重をより効果的に緩和することができる。
【００３１】
本発明によれば、孔間隔を異ならせることで、緩衝体の部位によって緩衝能力に差をもたせることができ、第２緩衝板部側から被梱包物の所定部位に加えられる衝撃又は荷重をより効果的に緩和することができる。
【００３２】
本発明によれば、箱体に梱包された緩衝体の第２緩衝板部側から加えられた衝撃又は荷重を緩衝凸部で受け、衝撃又は荷重が緩衝凸部の周辺外に拡がらないようにすることができ、第２緩衝板部側から被梱包物の所定部位に加えられる衝撃又は荷重をより効果的に緩和することができる。
【００３３】
本発明によれば、箱体に梱包された緩衝体の第２緩衝板部側から加えられる衝撃又は荷重を緩衝凸部で受け、凹部が外嵌している被梱包物に衝撃又は荷重が加わらないようにすることができ、更に他の箇所から加えられる衝撃を孔部で緩和することができる。
【００３４】
本発明によれば、箱体に梱包された緩衝体の第２緩衝板部側から加えられた衝撃又は荷重を緩衝凸部で受け、凹部が外嵌している被梱包物に衝撃又は荷重が加わらないようにすることができる。
【００３５】
本発明によれば、点状の緩衝凸部に比べて、第２緩衝板部側から加えられた衝撃又は荷重を第２緩衝板部に広く分散させることができ、衝撃又は荷重をより効果的に緩和することができる。
【００３６】
本発明によれば、従来の緩衝体に比べて、第２緩衝板部側から加えられた衝撃又は荷重を第２緩衝板部に広く均等に分散させることができ、衝撃又は荷重をより効果的に緩和することができる。
【発明を実施するための最良の形態】
【００３７】
以下、本発明をその実施の形態を示す図面に基づいて詳述する。
（実施の形態１）
図１は本発明の実施の形態１に係る緩衝体１の略示斜視図、図２は箱体３に梱包される被梱包物２及び緩衝体１の略示斜視図、図３は箱体３に梱包された被梱包物２及び緩衝体１の一部破断側断面図、図４乃至図７は、緩衝体１の略示正面図、側面図、背面図、及び平面図である。
【００３８】
図中１は、段ボールからなり、衝撃を緩和する略直方体形状の緩衝体である。緩衝体１は、図１又は図６に示すように、矩形の底板部１２を備えており、底板部１２の対向する各辺には、第１緩衝板部を構成する矩形正面板部１０及び支持板部を構成する矩形背面板部１３が略垂直に形成され、底板部１２の適宜箇所には、側面板部１７が略垂直に形成されている。矩形正面板部１０、矩形背面板部１３及び側面板部１７の上端には、底板部１２に略平行であり、第２緩衝板部を構成する矩形の天板部１１が形成されている。
【００３９】
矩形正面板部１０は、図２又は図３に示すように、略直方体の被梱包物２の端部２０に外嵌する凹部１４を略中央に形成している。凹部１４の周縁形状は、矩形正面板部１０の周縁に倣うような矩形であり、凹部１４は、被梱包物２が嵌入した場合、被梱包物２の移動を規制するような寸法を有している。また、凹部１４は、凹部１４と矩形背面板部１３とが離隔するような深さを有している。
【００４０】
また、図１又は図４に示すように、矩形正面板部１０の凹部１４と天板部１１との間には、矩形正面板部１０の一辺１０ａに沿って、７個の長円の長孔部１５，１５，…１５が形成されている。長孔部１５，１５，…１５の長径方向は、一辺１０ａに略平行な方向であり、長孔部１５，１５，…１５の孔間隔が該方向に等間隔になるように形成されている。
【００４１】
天板部１１は、図５又は図７に示すように、矩形背面板部１３に支持されている被支持部１１ａを有し、被支持部１１ａには、板状の緩衝凸部１６が貼着されている。緩衝凸部１６は、矩形正面板部１０の一辺１０ａに略平行であり、被支持部１１ａ全体を覆うような寸法を有している。
【００４２】
一方、被梱包物２及び緩衝体１を梱包する箱体３は、図２に示すように、矩形の底壁３０、底壁３０の四辺に連続する４枚の側壁３１，３２，３３，３４、及び各側壁３１，３２，３３，３４に連続していて、開閉可能にしてある天壁３５を備えている。
被梱包物２は、２個の緩衝体１の凹部１４が両端部２０に夫々外嵌した状態で箱体３に梱包され、被梱包物２及び緩衝体１が箱体３に梱包された場合、緩衝体１の底板部１２、矩形背面板部１３、天板部１１が箱体３の底壁３０及び側壁３１，３２，３３，３４に当接し、被梱包物２の箱体３内での移動が規制される。
【００４３】
実施の形態１に係る緩衝体１にあっては、天板部１１側から衝撃が加えられた場合、矩形正面板部１０の長孔部１５，１５，…１５が拉げるため、凹部１４が外嵌している被梱包物２に加わる衝撃を緩和することができる。
【００４４】
また、長孔部１５，１５，…１５は、矩形の長孔に比べて、天板部１１側から加えられた衝撃を効果的に緩和することができる。
つまり、矩形の長孔は、天板部１１に略垂直な縁部分を有するが、長円の長孔部１５，１５，…１５は、天板部１１に略垂直な縁部分を有さないため、拉げやすく、天板部１１側から加えられた衝撃を効果的に緩和することができる。
【００４５】
更に、長孔部１５，１５，…１５は、天板部１１側から加えられた荷重に応じて拉げるため、天板部１１に加えられた荷重が被梱包物２にそのまま加えられる虞はない。
【００４６】
更にまた、箱体３に梱包された緩衝体１の天板部１１側から加えられた衝撃を緩衝凸部１６で受け、衝撃が緩衝凸部１６の周辺以外に拡がらないようにすることができる。特に、緩衝凸部１６は、被支持部１１ａに貼着されているため、凹部１４が外嵌している被梱包物２の部分に衝撃が加わることを防ぐことができる。
【００４７】
更にまた、緩衝凸部１６が被支持部１１ａ全体を覆う寸法を有しているため、天板部１１側から加えられた衝撃を、被支持部１１ａ全体に分散させることができ、凹部１４が外嵌している被梱包物２に衝撃が加わることを防ぐことができる。
【００４８】
なお、実施の形態１に係る緩衝体は、凹部及び緩衝凸部を備えているが、衝撃を十分に緩和することができるのであれば、凹部又は緩衝凸部の一方を備えるように構成しても良い。
【００４９】
また、天板部の被支持部に緩衝凸部を貼着しているが、衝撃を十分に緩和することができるのであれば、天板部の他の箇所に緩衝凸部を貼着しても良い。例えば、天板部の側面板部に支持されている部分に緩衝凸部を貼着しても良い。
【００５０】
更に、１つの緩衝凸部を天板部に貼付しているが、他の形状を有する緩衝凸部、例えば方形の緩衝凸部を天板部に複数貼着しても良い。
更にまた、長円形の孔部を備えているが、第２緩衝板部に加えられた衝撃又は荷重によって拉げるように縁部分が湾曲又は鋭角に屈曲していれば、他の形状、例えば三角形の孔部を備えても良い。
更にまた、７個の長孔部を備えているが、十分に衝撃又は荷重を緩和可能であれば長孔部の個数は限定されない。
【００５１】
（実施の形態２）
図８は、実施の形態２に係る緩衝体１０１の略示正面図である。
実施の形態２に係る緩衝体１０１は、孔部１１５ａ，１１５ｂ，１１５ｃの構成のみが実施の形態１と異なるため、以下では上記相違点について説明する。
【００５２】
矩形正面板部１１０には、矩形正面板部１１０の一辺１０ａに沿って複数の孔部１１５ａ，１１５ｂ，１１５ｃが形成されている。孔部１１５ａ，１１５ｂ，１１５ｃは、長手方向が一辺１０ａに略平行な方向の菱形である。
【００５３】
また、複数の孔部１１５ａ，１１５ｂ，１１５ｃは、隣り合う孔部１１５ａ，１１５ｂ，１１５ｃの孔間隔が、矩形正面板部１１０の並設方向略中央部に近い程、短くなるように形成されている。つまり、矩形正面板部１１０の並設方向略中央部に形成された孔部１１５ａと、孔部１１５ａに隣り合う孔部１１５ｂとの孔間隔は、孔部１１５ｂと、並設方向端部に形成された孔部１１５ｃとの孔間隔よりも短くなるように、孔部１１５ａ，１１５ｂ，１１５ｃが形成されている。
【００５４】
更に、孔部１１５ａ，１１５ｂ，１１５ｃの断面積は、矩形正面板部１１０の並設方向略中央部に近い程、大きくなるように形成されている。つまり、矩形正面板部１１０の並設方向略中央部に形成された孔部１１５ａの断面積は、孔部１１５ａに隣り合う孔部１１５ｂの断面積より大きく、孔部１１５ｂの断面積は、並設方向端部に形成された孔部１１５ｃの断面積に比べて大きくなるように、孔部１１５ａ，１１５ｂ，１１５ｃが形成されている。
【００５５】
実施の形態２に係る緩衝体１０１にあっては、天板部１１に衝撃又は荷重が均等に加えられた場合、孔部１１５ａ，１１５ｂは、孔部１１５ｃに比べて、拉げ易いため、より効果的に衝撃又は荷重を緩和することができる。
従って、例えば、梱包される被梱包物２の要部が、凹部１４の横方向中央に位置する場合、被梱包物２の要部に衝撃又は荷重が加わることを効果的に防ぐことができる。
【００５６】
実施の形態２に係る緩衝体１０１の他の構成、作用及び効果は、実施の形態１と同様であるため、対応する箇所には同様の符号を付してその詳細な説明を省略する。
【００５７】
（実施の形態３）
図９は、実施の形態３に係る緩衝体２０１の略示側面図である。
実施の形態３に係る緩衝体２０１は、緩衝凸部２１６の形状のみが実施の形態１とは異なるため、以下では上記相違点について説明する。
【００５８】
天板部１１は、支持板部に支持されている被支持部１１ａを有している。被支持部１１ａには、緩衝凸部２１６が貼着されている。緩衝凸部２１６は、矩形正面板部１０の一辺１０ａに略平行な三角柱状であり、被支持部１１ａ全体を覆うような寸法を有している。
【００５９】
実施の形態３に係る緩衝体２０１にあっては、緩衝凸部２１６が三角柱状であるため、箱体３に梱包された緩衝体２０１の天板部１１側から加えられた衝撃又は荷重は、緩衝凸部２１６の稜線から、天板部１１、特に被支持部１１ａに加わる。つまり、箱体３の天壁３５から緩衝凸部２１６の稜線に衝撃又は荷重が伝わり、被支持部１１ａに均等に分散される。従って、板状の緩衝凸部２１６に比べて、衝撃又は荷重を被支持部１１ａに均等に分散させることができ、被梱包物２に衝撃又は荷重が加わることを効果的に防ぐことができる。
【００６０】
実施の形態３に係る緩衝体２０１の他の構成、作用及び効果は、実施の形態１と同様であるため、対応する箇所には同様の符号を付してその詳細な説明を省略する。
【図面の簡単な説明】
【００６１】
【図１】本発明の実施の形態１に係る緩衝体の略示斜視図である。
【図２】箱体に梱包される被梱包物及び緩衝体の略示斜視図である。
【図３】箱体に梱包された被梱包物及び緩衝体の一部破断側断面図である。
【図４】緩衝体の略示正面図である。
【図５】緩衝体の略示側面図である。
【図６】緩衝体の略示背面図である。
【図７】緩衝体の略示平面図である。
【図８】実施の形態２に係る緩衝体の略示正面図である。
【図９】実施の形態３に係る緩衝体の略示側面図である。
【符号の説明】
【００６２】
１  緩衝体
２  被梱包物
３  箱体
１０  矩形正面板部（第１緩衝板部）
１０ａ  一辺
１０ｂ  他辺
１１  天板部（第２緩衝板部）
１１ａ  被支持部
１２  底板部
１３  矩形背面板部（支持板部）
１４  凹部
１５  長孔部
１６，２１６  緩衝凸部
１７  側面板部
１１５ａ，１１５ｂ，１１５ｃ  孔部
【図１】
2007091297.tif 000003
【図２】
2007091297.tif 000004
【図３】
2007091297.tif 000005
【図４】
2007091297.tif 000006
【図５】
2007091297.tif 000007
【図６】
2007091297.tif 000008
【図７】
2007091297.tif 000009
【図８】
2007091297.tif 000010
【図９】
2007091297.tif 000011